(57)【特許請求の範囲】
【請求項１】
所定間隔で平行に立設して空気流通路を形成した多数のプレートフィンと、前記多数のプレートフィンを貫通し空気を冷却する冷媒が内部を流通する空気流通方向に複数列に、かつ上下方向に多段に配列した多数の伝熱管とから構成された冷却器と、
前記プレートフィンに付着した霜を除霜する除霜ヒータと、
温度を検出して設定温度になると除霜を終了させる除霜終了サーモスタットと、
冷却時に送風運転し除霜時に停止するファンと、
筐体とを備え、前記筐体内の空気吸込側に前記冷却器を、前記筐体内の空気吹出側に前記ファンを収納した冷凍庫内に設置する冷凍庫用冷却ユニットの除霜装置において、
冷媒が複数列の前記伝熱管内を前記空気吹出側から前記空気吸込側に流通するようにして、前記冷却器における冷媒流通方向と空気流通方向とを対向流とし、
前記除霜ヒータを、多数本の直管状に形成するとともに異なる本数の２群に分割して、多数群の前記除霜ヒータを前記冷却器における前記空気吸込側の前記プレートフィンの端面に接触させて水平に分散設置し、少数群の前記除霜ヒータを前記冷却器における前記空気吹出側の前記プレートフィンの下方端面に接触させて水平に設置し、
前記冷却器における前記プレートフィンの間に位置し、一端部が前記プレートフィンの前記空気吹出側の端面よりも前記筐体内に突出するとともに前記伝熱管の表面と接触して熱伝導により温度変化する熱交換板と、前記熱交換板に一体に形成されるとともに前記空気流通方向に直交して空気流通を遮るサーモスタット設置板とを備えた水平断面がＬ字状の除霜終了サーモスタット取付具を形成し、
前記除霜終了サーモスタット取付具の前記熱交換板を前記冷却器の上方における前記伝熱管に取付け、
前記除霜終了サーモスタットの温度検出部を、前記除霜終了サーモスタット取付具の前記サーモスタット設置板における前記冷却器側の反対面に接触させて、前記除霜終了サーモスタットを前記サーモスタット設置板に取付けたことを特徴とする冷凍庫用冷却ユニットの除霜装置。
【請求項２】
所定間隔で平行に立設して空気流通路を形成した多数のプレートフィンと、前記多数のプレートフィンを貫通し空気を冷却する冷媒が内部を流通する空気流通方向に複数列に、かつ上下方向に多段に配列した多数の伝熱管とから構成された冷却器と、
前記プレートフィンに付着した霜を除霜する除霜ヒータと、
温度を検出して設定温度になると除霜を終了させる除霜終了サーモスタットと、
冷却時に送風運転し除霜時に停止するファンと、
筐体とを備え、前記筐体内の空気吸込側に前記冷却器を、前記筐体内の空気吹出側に前記ファンを収納した冷凍庫内に設置する冷凍庫用冷却ユニットの除霜装置において、
冷媒が複数列の前記伝熱管内を前記空気吹出側から前記空気吸込側に流通するようにして、前記冷却器における冷媒流通方向と空気流通方向とを対向流とし、
前記除霜ヒータを、多数本の直管状の多数群と、Ｕ字状とに分割して、多数群の除霜ヒータを前記冷却器における前記空気吸込側の前記プレートフィンの端面に接触させて水平に分散設置し、前記Ｕ字状の除霜ヒータを前記冷却器における前記空気吹出側の前記プレートフィンの端面であって幅方向両側部と下方部とに接触させて設置し、
前記冷却器における前記プレートフィンの間に位置し、一端部が前記プレートフィンの前記空気吹出側の端面よりも前記筐体内に突出するとともに前記伝熱管の表面と接触して熱伝導により温度変化する熱交換板と、前記熱交換板に一体に形成されるとともに前記空気流通方向に直交して空気流通を遮るサーモスタット設置板とを備えた水平断面がＬ字状の除霜終了サーモスタット取付具を形成し、
前記除霜終了サーモスタット取付具の前記熱交換板を前記冷却器の幅方向中央上方における前記伝熱管に取付け、
前記除霜終了サーモスタットの温度検出部を、前記除霜終了サーモスタット取付具の前記サーモスタット設置板における前記冷却器側の反対面に接触させて、前記除霜終了サーモスタットを前記サーモスタット設置板に取付けたことを特徴とする冷凍庫用冷却ユニットの除霜装置。
【請求項３】
前記除霜終了サーモスタット取付具の前記熱交換板に、前記冷却器の前記伝熱管における前記列数方向全部であって上方側数段が貫通する貫通穴を設けて、前記熱交換板の前記貫通穴を前記伝熱管に接触させて、前記熱交換板を前記伝熱管に取付けたことを特徴とする請求項１又は２に記載の冷凍庫用冷却ユニットの除霜装置。
【請求項４】
前記除霜終了サーモスタット取付具に、前記除霜終了サーモスタットを部分的に覆う板状部材を設けたことを特徴とする請求項１〜請求項３のいずれかに記載の冷凍庫用冷却ユニットの除霜装置。
【請求項５】
前記除霜終了サーモスタットの除霜を終了させる設定温度を、２℃〜５℃としたことを特徴とする請求項１〜請求項４のいずれかに記載の冷凍庫用冷却ユニットの除霜装置。
【発明の詳細な説明】
【技術分野】
【０００１】
本発明は、冷凍庫内に設置する冷凍庫用冷却ユニットの除霜装置に係り、前記冷凍庫用冷却ユニットの冷却器におけるプレートフィンの間に位置し、伝熱管の表面と接触して熱伝導により温度変化する熱交換板と、前記熱交換板に一体に形成されるとともに前記空気流通方向に直交して空気流通を遮るサーモスタット設置板とを備えた水平断面がＬ字状の除霜終了サーモスタット取付具を形成して、前記除霜終了サーモスタット取付具の前記熱交換板を前記冷却器の上方における前記伝熱管に取付けるようした技術である。
【背景技術】
【０００２】
冷凍庫用冷却ユニットにおける冷却器では、伝熱管を流通する低温の冷媒と、プレートフィン間を流通する空気とが熱交換して、空気中の水蒸気が凝縮し、前記プレートフィンに霜が生成し、冷凍運転が長時間となるにしたがって着霜が成長する。
そして、着霜の成長により、前記冷却器において冷媒と空気との熱交換が悪くなり、前記冷凍庫用冷却ユニットを有する冷凍装置の運転効率が悪くなる。
【０００３】
そこで、従来、冷却器に除霜ヒータを設けて、定期的に前記除霜ヒータに通電して除霜運転を行っていた。
従来から除霜運転については、霜の融け残しがなく、かつ無駄な除霜運転を防止するために、除霜終了を的確に行うことが重要とされて、種々の提案がなされている。
【０００４】
そして、従来、冷却器の除霜終了検知の一例として、冷却器の冷媒流出口の近傍の冷媒配管に除霜終了を検知するためのセンサを設けて、除霜終了の最遅部となりやすい冷媒流出口の近傍の冷媒配管の温度を検知することで、除霜終了を検知するセンサを一つとした除霜終了装置が知られている（例えば、特許文献１参照）。
【先行技術文献】
【特許文献】
【０００５】
【特許文献１】特開平５−１３３６４４号公報（段落０００８、段落０００９、図１）
【発明の概要】
【発明が解決しようとする課題】
【０００６】
特許文献１に記載された従来の技術は、除霜終了を検知するセンサが、冷却器におけるプレートフィンから離れた冷媒流出口の近傍の冷媒配管の温度を検知するため、除霜終了の検知の遅れが生じて、無駄な除霜運転を行うという課題があった。
すなわち、上記従来の技術は、冷却器の除霜が終了してから除霜ヒータの熱が前記センサを設けた冷媒配管まで伝わるのに遅れが生じて無駄な除霜運転を行うからであり、冷却器に付着した霜の成長の仕方が、冷凍庫内の状態に大きく影響され、特に、除霜運転開始時の冷却器の着霜が少ない場合、冷却器の除霜が短時間で完了するのにもかかわらず、除霜ヒータの熱が前記センサを設けた冷媒配管まで伝わるのに遅れが生じて無駄な除霜運転となりやすいという課題があった。
【０００７】
本発明は、特許文献１に記載の従来例における無駄な除霜運転をできるだけ少なくできる冷凍庫用冷却ユニットの除霜装置とすることを目的としている。
【課題を解決するための手段】
【０００８】
本発明の冷凍庫用冷却ユニットの除霜装置は、所定間隔で平行に立設して空気流通路を形成した多数のプレートフィンと、前記多数のプレートフィンを貫通し空気を冷却する冷媒が内部を流通する空気流通方向に複数列に、かつ上下方向に多段に配列した多数の伝熱管とから構成された冷却器と、前記プレートフィンに付着した霜を除霜する除霜ヒータと、温度を検出して設定温度になると除霜を終了させる除霜終了サーモスタットと、冷却時に送風運転し除霜時に停止するファンと、筐体とを備え、前記筐体内の空気吸込側に前記冷却器を、前記筐体内の空気吹出側に前記ファンを収納した冷凍庫内に設置する冷凍庫用冷却ユニットの除霜装置において、冷媒が複数列の前記伝熱管内を前記空気吹出側から前記空気吸込側に流通するようにして、前記冷却器における冷媒流通方向と空気流通方向とを対向流とし、前記除霜ヒータを、多数本の直管状に形成するとともに異なる本数の２群に分割して、多数群の前記除霜ヒータを前記冷却器における前記空気吸込側の前記プレートフィンの端面に接触させて水平に分散設置し、少数群の前記除霜ヒータを前記冷却器における前記空気吹出側の前記プレートフィンの下方端面に接触させて水平に設置し、前記冷却器における前記プレートフィンの間に位置し、一端部が前記プレートフィンの前記空気吹出側の端面よりも前記筐体内に突出するとともに前記伝熱管の表面と接触して熱伝導により温度変化する熱交換板と、前記熱交換板に一体に形成されるとともに前記空気流通方向に直交して空気流通を遮るサーモスタット設置板とを備えた水平断面がＬ字状の除霜終了サーモスタット取付具を形成し、前記除霜終了サーモスタット取付具の前記熱交換板を前記冷却器の上方における前記伝熱管に取付け、前記除霜終了サーモスタットの温度検出部を、前記除霜終了サーモスタット取付具の前記サーモスタット設置板における前記冷却器側の反対面に接触させて、前記除霜終了サーモスタットを前記サーモスタット設置板に取付けたものである。
【発明の効果】
【０００９】
本発明の冷凍庫用冷却ユニットの除霜装置は、冷媒が複数列の前記伝熱管内を前記空気吹出側から前記空気吸込側に流通するようにして、前記冷却器における冷媒流通方向と空気流通方向とを対向流とし、前記除霜ヒータを、多数本の直管状に形成するとともに異なる本数の２群に分割して、多数群の前記除霜ヒータを前記冷却器における前記空気吸込側の前記プレートフィンの端面に接触させて水平に分散設置し、少数群の前記除霜ヒータを前記冷却器における前記空気吹出側の前記プレートフィンの下方端面に接触させて水平に設置し、前記冷却器における前記プレートフィンの間に位置し、一端部が前記プレートフィンの前記空気吹出側の端面よりも前記筐体内に突出するとともに前記伝熱管の表面と接触して熱伝導により温度変化する熱交換板と、前記熱交換板に一体に形成されるとともに前記空気流通方向に直交して空気流通を遮るサーモスタット設置板とを備えた水平断面がＬ字状の除霜終了サーモスタット取付具を形成し、前記除霜終了サーモスタット取付具の前記熱交換板を前記冷却器の上方における前記伝熱管に取付け、前記除霜終了サーモスタットの温度検出部を、前記除霜終了サーモスタット取付具の前記サーモスタット設置板における前記冷却器側の反対面に接触させて、前記除霜終了サーモスタットを前記サーモスタット設置板に取付けたから、前記除霜終了サーモスタットは前記冷却器の前記プレートフィンの霜がなくなったことを時間遅れなく検知して除霜運転を終了するようにでき、無駄な除霜運転を防止して、冷凍庫内の温度上昇を最小限とし、前記冷却ユニットを有する冷凍装置の運転効率を向上させることができるのである。
【図面の簡単な説明】
【００１０】
【図１】本発明の実施の形態１に係る冷凍庫用冷却ユニットを示す概略構成図である。
【図２】本発明の実施の形態１に係る除霜終了サーモスタット取付具を取付けた冷却器を示す斜視図である。
【図３】本発明の実施の形態１に係る除霜終了サーモスタット及びその取付具を示す斜視図である。
【図４】本発明の実施の形態１に係る除霜運転経過時間と温度とを示す図であり、（ａ）は冷却器の着霜が少量の場合、（ｂ）は冷却器の着霜が多量の場合である。
【図５】本発明の実施の形態２に係る除霜ヒータを取付けた冷却器を示す概略図であり、（ａ）は正面概略図、（ｂ）は側面概略図である。
【図６】本発明の実施の形態３に係る除霜終了サーモスタット及びその取付具を示す斜視図である。
【図７】図４に示す本発明との比較を示す比較例に係る除霜運転経過時間と温度とを示す図であり、（ａ）は冷却器の着霜が少量の場合、（ｂ）は冷却器の着霜が多量の場合である。
【図８】本発明の冷凍庫用冷却ユニットのプレートフィンの変形例を示す図である。
【図９】本発明の除霜終了サーモスタットをプレートフィンに取付けたときの冷却器を示す斜視図である。
【発明を実施するための形態】
【００１１】
実施の形態１．
図１〜図４は、本発明の実施の形態１に係る図面であり、図１は冷凍庫用冷却ユニットを示す概略構成図、図２は除霜終了サーモスタット取付具を取付けた冷却器を示す斜視図、図３は除霜終了サーモスタット及びその取付具を示す斜視図、図４は除霜運転経過時間と温度とを示す図である。
図１において、１は、冷凍庫用冷却ユニットであり、冷凍庫外に設置されるとともに圧縮機、凝縮器、凝縮器用ファン等を備えた冷凍機と冷媒配管、電気配線等で接続されて冷凍装置を構成している。
【００１２】
前記冷凍庫用冷却ユニット１は、筐体２と、冷却器３と、除霜ヒータ４と、除霜終了サーモスタット５と、除霜終了サーモスタット取付具６と、ファン７と、ファン用電動機７１とを備えており、冷凍庫内に設置され庫内をマイナス３０℃以下に冷却して、冷凍食品等を冷凍貯蔵するようにしている。
前記筐体２内の空気吸込側２１に前記冷却器３を収納し、前記筐体２内の空気吹出側２２に前記ファン用電動機７１及び前記ファン７を収納している。
【００１３】
前記冷却器３は、図２に示すように、所定間隔で平行に立設して空気流通路を形成した多数のプレートフィン３１と、前記多数のプレートフィン３１を貫通して空気を冷却する冷媒が内部を流通するヘアピン型の伝熱管３２とから構成されている。
前記伝熱管３は、空気流通方向に複数列（例えば、図２では６列）に、かつ上下方向に多段に、千鳥状に配列されている。
【００１４】
また、冷媒は、複数列の前記伝熱管３２内を前記空気吹出側２２から前記空気吸込側２１に流通するようにして、前記冷却器３における冷媒流通方向と空気流通方向とを対向流としている。
前記冷却器３は、前記伝熱管３２を銅管とし、前記プレートフィン３１の材質をアルミニウム、その板厚を０．２５ｍｍとしており、前記プレートフィン３１のフィンピッチを６．３５ｍｍとしている。
【００１５】
前記除霜ヒータ４は、前記プレートフィン３１に付着した霜を除霜するもので、シーズヒータからなり、図１に示すように、多数本（例えば、図１では６本）の直管状に形成するとともに異なる本数の２群（例えば、図１では４本と、２本）に分割して、多数群の前記除霜ヒータ４１を前記冷却器３における前記空気吸込側２１の前記プレートフィン３１の端面に接触させて水平に分散設置しており、少数群の前記除霜ヒータ４２を前記冷却器３における前記空気吹出側２２の前記プレートフィン３１の下方端面に接触させて水平に設置している。
前記除霜終了サーモスタット５は、バイメタルスイッチ式であり、温度検出部が設定温度以上となるとスイッチをＯＦＦするようになっており、前記設定温度を２℃〜５℃、たとえば３．５℃とするのであり、図３に示す前記除霜終了サーモスタット取付具６に取付けるのである。
【００１６】
前記除霜終了サーモスタット取付具６は、材質を前記プレートフィン３１と同じアルミニウムとし、板厚を２ｍｍとしており、図３に示すように、熱交換板６１と、前記熱交換板６１に一体に形成されるとともに前記空気流通方向に直交して空気流通を遮るサーモスタット設置板６２とを備えた水平断面がＬ字状に形成している。
前記除霜終了サーモスタット取付具６の前記熱交換板６１には、前記冷却器３の前記伝熱管３２の千鳥状の配列に合致させて、前記伝熱管３２が貫通する６列４段の貫通穴６３を設けており、前記熱交換板６１の一端部６４が前記プレートフィン３１の前記空気吹出側２２の端面よりも前記筐体２内に突出するように形成している。
【００１７】
前記除霜終了サーモスタット取付具６は、図２に示すように、前記熱交換板６１の前記貫通穴６３を前記冷却器３の中央上方の６列４段における前記伝熱管３２に接触させて、前記熱交換板６１を前記伝熱管３２に取付けることにより、前記冷却器３における前記プレートフィン３１の間に位置するようにしている。
前記除霜終了サーモスタット５は、前記温度検出部を前記除霜終了サーモスタット取付具６の前記サーモスタット設置板６２における前記冷却器３の反対面６５に接触させて、前記サーモスタット設置板６２に取付けている。
【００１８】
さらに、前記除霜終了サーモスタット取付具５には、図３に示すように、前記除霜終了サーモスタット６を部分的に覆う板状部材６６を設けている。  
前記板状部材６６は、前記熱交換板６１を延長した方向に位置する第一部材６７と、前記第一部材６７の端部から前記空気流通方向に直交して前記サーモスタット設置板６２と平行な第二部材６８とを一体に形成している。
【００１９】
前記除霜終了サーモスタット５を取付けた前記除霜終了サーモスタット取付具６の前記伝熱管３２への取付けは、前記プレートフィン３１を前記伝熱管３２に取付ける際に、同時に行うのである。
次に、動作について説明する。
【００２０】
冷凍装置を構成する冷凍庫外の冷凍機を運転して、冷凍庫内に設置された前記冷凍庫用冷却ユニット１の前記冷却器３における前記伝熱管３２内で液冷媒を蒸発させて、前記プレートフィン３１と前記ファン７によって循環される空気とが熱交換して循環空気が冷却され冷凍庫内を例えばマイナス３０℃に保持するのである。
そして、前記冷凍庫用冷却ユニット１を長時間冷凍運転すると、循環空気中の水蒸気が前記プレートフィン３１の表面で凝縮し霜となって徐々に着霜が成長する。
【００２１】
前記プレートフィン３１の着霜が多くなると霜の熱伝導率が小さいこと、及び前記プレートフィン３１間の空気流通路が塞がれて前記ファン７による循環風量が少なくなることにより、冷媒と循環空気との熱交換が悪くなり、冷凍装置の運転効率が低下する。
そこで、前記冷凍庫用冷却ユニット１を設置した冷凍庫の監視者は、冷凍庫内の冷凍品の貯蔵状況に応じて、定期的に例えば４８時間毎に除霜運転を開始するように冷凍装置の制御盤に設けられた除霜開始タイマーをセットしているのである。
【００２２】
前記除霜開始タイマーがセットした時間をカウントすると、前記除霜開始タイマーが作動して、前記冷凍機の運転を停止し、前記冷凍庫用冷却ユニット１のファン７の送風運転を停止し、前記冷却器３での冷却作用を停止させるとともに、前記除霜ヒータ４に通電することにより除霜運転が開始されるのである。
除霜運転は、前記除霜ヒータ４から前記プレートフィン３１の端面に熱を伝えて、前記プレートフィン３１の着霜を溶かすのであり、前記多数群の除霜ヒータ４１は、大きなヒータ容量により、前記空気吸込側２１の前記プレートフィン３１を加熱するから、前記空気吸込側２１の前記プレートフィン３１が冷凍庫内の低温（例えばマイナス３０℃）部に面していても、着霜を溶かすことができるようにしている。
【００２３】
また、前記少数群の除霜ヒータ４２は、小さなヒータ容量ではあるが、前記筐体２の前記空気吹出側２２には、前記ファン用電動機７１及び前記ファン７を収納しており、前記空気吹出側２２の前記プレートフィン３１が冷凍庫内の低温部から離れているため、冷凍庫内の冷温部の影響が少なく、着霜を溶かすことができるのである。
そして、前記除霜終了サーモスタット取付具６の前記熱交換板６１は、前記除霜ヒータ４と接触していないため、前記除霜ヒータ４の熱を直接伝熱されることがなく、前記伝熱管３２と接触している前記貫通穴６３を介して前記伝熱管３２の温度による熱及び前記熱交換板６１の周囲の前記プレートフィン３１の表面温度による輻射熱、対流熱を受け取って、前記熱交換板６１の温度が上昇し、前記熱交換板６１から熱伝導により前記サーモスタット設置板６２の温度が上昇する。
【００２４】
前記除霜終了サーモスタット５の温度検出部は、前記サーモスタット設置板６２における前記冷却器３側の前記反対面６５に接触させているから、前記反対面６５の温度を検出している。
前記サーモスタット設置板６２における前記冷却器３側の前記反対面６５は、前記サーモスタット設置板６２及び前記板状部材６６により、前記冷凍庫用冷却ユニット１の冷凍運転中、低温の循環空気の流通が阻止されて、空気が滞留しているため、着霜もほとんどせず、除霜運転中も冷凍庫内の低温にさらされにくくしている。
【００２５】
また、前記除霜終了サーモスタット取付具６の前記熱交換板６１も前記サーモスタット設置板６２と同様に空気が滞留しているため、着霜もほとんどせず、前記伝熱管３２からの熱を除霜に費やす必要がない。
ここで、前記除霜終了サーモスタット５の温度検出部の温度Ｔ１と、前記除霜終了サーモスタット取付具６から数枚離れた位置における前記プレートフィン３１の温度Ｔ２とを縦軸に、除霜運転経過時間Ｓを横軸にとって測定した結果を、図４に示す。
【００２６】
図４において、除霜運転の開始時（経過時間０）の前記温度検出部の温度Ｔ１及び前記プレートフィン３１の温度Ｔ２は、略同じ温度であり、冷凍庫内の温度と略同じ温度となっている。
除霜運転の経過に伴って、前記温度検出部の温度Ｔ１及び前記プレートフィン３１の温度Ｔ２とも上昇するが、前記除霜ヒータ４の熱は前記除霜終了サーモスタット取付具６の板厚が厚いために熱伝導で伝わり易く、前記温度検出部の温度Ｔ１の方が前記プレートフィン３１の温度Ｔ２よりも上昇が早い。
【００２７】
そして、前記プレートフィン３１の温度Ｔ２が０℃となると、前記除霜ヒータ４からの熱は霜の融解熱となり、０℃を維持し、前記冷却器３の着霜が少量の（ａ）の場合は０℃を維持する経過時間が短く、前記冷却器３の着霜が多量の（ｂ）の場合は０℃を維持する経過時間が長くなる。
前記プレートフィン３１の温度Ｔ２が０℃を維持している間は、前記温度検出部の温度Ｔ１は、前記除霜ヒータ４の熱が霜の融解に費やされて前記伝熱管３２の温度が上昇し難いために、温度上昇が（ａ）及び（ｂ）に示すように緩やかとなる。
【００２８】
前記冷却器３の除霜が終了すると、プレートフィン３１の温度Ｔ２が上昇して、前記温度検出部の温度Ｔ１と同じ温度となり、さらに除霜運転を継続しても前記温度検出部の温度Ｔ１及び前記プレートフィン３１の温度Ｔ２とも同じ温度で上昇する。
したがって、前記除霜終了サーモスタット５の除霜を終了させる設定温度ＴＳを、前記温度検出部の温度Ｔ１及び前記プレートフィン３１の温度Ｔ２とが同じ温度となる例えば３．５℃として、除霜運転経過時間ＳＥにおいて除霜運転を終了させて、無駄な除霜運転を防止するのである。
【００２９】
また、前記除霜終了サーモスタット取付具６に前記除霜ヒータ４を接触させると、図７の比較例に示すように、前記冷却器３の着霜が少量の（ａ）の場合と、前記冷却器３の着霜が多量の（ｂ）の場合とで、前記冷却器３の除霜終了時である除霜運転経過時間ＳＥにおいて、前記温度検出部の温度Ｔ１と前記プレートフィン３１の温度Ｔ２との温度差が大きく異なり、いずれの場合でも前記冷却器３の除霜が終了する温度で、前記除霜終了サーモスタット５の除霜を終了させる設定温度ＴＳとしなければならず、無駄な除霜運転を行うことが避けられなくなり、前記除霜終了サーモスタット取付具６に前記除霜ヒータ４を接触させないようにすることが重要であることが判明した。
以上の実施の形態１では、前記除霜終了サーモスタット取付具６は、前記熱交換板６１を前記冷却器３の中央上方の前記伝熱管３２に取付けるようにしているが、前記冷却器３の上方であれば、中央でなくてもよい。
【００３０】
実施の形態２．
次に、図５は、本発明の実施の形態２に係る図面であり、除霜ヒータを取付けた冷却器を示す概略図であり、（ａ）は冷却器の空気吹出側の正面図、（ｂ）は側面図である。
この実施の形態２は、実施の形態１における除霜ヒータの変形例であり、図５に示すように、図１に示す少数（２本）群の前記除霜ヒータ４２を前記冷却器３における前記空気吹出側２２の前記プレートフィン３１の下方端面に接触させて水平に設置することに替えて、Ｕ字状の除霜ヒータ４３を前記冷却器３における前記空気吹出側２２の前記プレートフィン３１の端面であって幅方向両側部と下方部とに接触させて設置したのである。
【００３１】
すなわち、前記除霜ヒータ４を、多数本の直管状の多数群と、Ｕ字状とに分割して、多数群の前記除霜ヒータ４１を前記冷却器３における前記空気吸込側２１の前記プレートフィン３１の端面に接触させて水平に分散設置し、Ｕ字状の前記除霜ヒータ４３を前記冷却器３における前記空気吹出側２２の前記プレートフィン３１の端面であって幅方向両側部と下方部とに接触させて設置するようにしたのである。
なお、前記除霜終了サーモスタット取付具６の前記熱交換板６１を前記冷却器３の幅方向中央上方における前記伝熱管３２に取付けるのは、実施の形態１と同様であるが、実施の形態１では、前記熱交換板６１を前記冷却器３の幅方向中央における前記伝熱管３２に取付ける必要はないが、この実施の形態では、Ｕ字状の前記除霜ヒータ４３を設けているため、前記除霜終了サーモスタット５の前記温度検出部がＵ字状の前記除霜ヒータ４３の左右両側部からの矢印で示す熱影響が偏らないようにする必要があり、前記熱交換板６１を前記冷却器３の幅方向中央上方における前記伝熱管３２に取付けるのである。
【００３２】
Ｕ字状の前記除霜ヒータ４３は１本のシーズヒータをＵ字状に形成しているが、単位長さ当たりの発熱量が多数群の前記除霜ヒータ４１と同じになるように単位長さ当たりの抵抗値を変更するのである。
また、Ｕ字状の前記除霜ヒータ４３を３本の直管状にしてもよい。
【００３３】
以上の説明を除き、実施の形態２は、実施の形態１と同様な構成、動作であるから、説明を省略する。
【００３４】
実施の形態３．
次に、図６は、本発明の実施の形態３に係る図面であり、除霜終了サーモスタット及びその取付具を示す斜視図である。
この実施の形態３は、実施の形態１における除霜終了サーモスタット取付具の変形例であり、図６に示すように、図３に示す前記熱交換板６１に前記伝熱管３２が貫通する６列４段の貫通穴６３に替えて、前記冷却器３の最上段の３本の前記伝熱管３２に係合する３個の半円状の切欠部６９を熱交換板６１ａの下端に形成している。
【００３５】
そして、この実施の形態３は、前記除霜終了サーモスタット５を取付けた前記除霜終了サーモスタット取付具６ａの前記伝熱管３２への取付けは、前記プレートフィン３１を前記伝熱管３２に取付ける際に、同時に行うのであるが、冷凍庫に前記冷凍庫用冷却ユニット１を設置して試運転を行う現地において、前記除霜終了サーモスタット取付具６ａの前記冷却器３における左右方向の取付位置を調整することができる。
ただし、この実施の形態３は、前記除霜終了サーモスタット取付具６ａの取付位置調製が可能というメリットがある反面、前記熱交換板６１ａの前記半円状の切欠部６９と、前記伝熱管３２との接触面積が小さいため、前記伝熱管３２から前記熱交換板６１ａへの熱伝導量が、実施の形態１よりも小さくなるというデメリットがある。
【００３６】
実施の形態１〜実施の形態３の変形例
以上の実施の形態１〜実施の形態３では、除霜運転の開始を除霜開始タイマーで行うようにしたが、公知の各種除霜運転の開始手段を採用できることはもちろんである。
また、以上の実施の形態１〜実施の形態３では、前記除霜終了サーモスタット取付具６、６ａに、前記除霜終了サーモスタット５を部分的に覆う板状部材６６を設けたが、この板状部材６６を省略してもよい。
【００３７】
以上の実施の形態１〜実施の形態３では、前記除霜終了サーモスタット取付具６、６ａに前記除霜終了サーモスタット５の設置を行っているが、前記プレートフィン３１を前記筐体２内に突起する突起部を形成した形状とし、前記プレートフィン３１の前記突起部に前記除霜終了サーモスタット５を設置するようにしてもよい。
前記プレートフィン３１の前記突起部に前記除霜終了サーモスタット５を設置することができるようにすることにより、前記除霜終了サーモスタット取付具６、６ａに替えて前記突起部を形成した前記プレートフィン３１を用いることができ、使用環境に合わせて、前記除霜終了サーモスタット５の設置位置を移動することができる。
【００３８】
以上の実施の形態１〜実施の形態３では、前記除霜終了サーモスタット５の除霜を終了させる設定温度を、３．５℃としたが、２℃〜５℃としてもよく、霜の融け残りが生ずる場合はさらに高くするのである。
【符号の説明】
【００３９】
１    冷凍庫用冷却ユニット
２    筐体
３    冷却器
４    除霜ヒータ
５    除霜終了サーモスタット
６、６ａ  除霜終了サーモスタット取付具
７    ファン
２１  空気吸込側
２２  空気吹出側
３１  プレートフィン
３２  伝熱管
４１  多数群の除霜ヒータ
４２  少数群の除霜ヒータ
４３  Ｕ字状の除霜ヒータ
６１、６１ａ  熱交換板
６２  サーモスタット設置板
６３  貫通穴
６４  一端部
６５  反対面
６６  板状部材
【図１】
0005757258.tif 000002
【図２】
0005757258.tif 000003
【図３】
0005757258.tif 000004
【図４】
0005757258.tif 000005
【図５】
0005757258.tif 000006
【図６】
0005757258.tif 000007
【図７】
0005757258.tif 000008
【図８】
0005757258.tif 000009
【図９】
0005757258.tif 000010